(57)【要約】      （修正有）【課題】静電放電を防止する基板対基板浮動式コネクタを提供する。【解決手段】静電放電を防止する基板対基板浮動式コネクタは、第一回路板６と第二回路板８に接続され、オス接続モジュール３０とメス接続モジュール４０を含む。オス接続モジュールは、第一ハウジングと、板体と、複数のオス端子と、第一リード部と、第一遮蔽部材とを含む。メス接続モジュールは、第二ハウジングと、凹槽と、複数のメス端子と、第二リード部と、第二遮蔽部材とを含む。第一遮蔽部材と第一リード部が第一経路を形成し、第二遮蔽部材と第二リード部が第二経路を形成することで、オス接続モジュールとメス接続モジュールが合わさった後、静電が各経路を通じて各回路板に解放される。【選択図】図３
0003220918.tif 000002
【実用新案登録請求の範囲】
【請求項１】
静電放電を防止する基板対基板浮動式コネクタであって、回路板に接続され、ハウジングと、板体と、複数のオス端子と、リード部と、遮蔽部材とを含み、
前記ハウジングには収容空間が形成され、前記ハウジングが結合端部と接合端部を備え、前記結合端部が相手側コネクタに電気的接続され、前記接合端部が前記回路板に接合され、
前記板体が前記収容空間に設置され、
複数の前記オス端子が前記板体に配列されて設置され、複数の前記オス端子の一方の末端が前記結合端部に近接し、複数の前記オス端子のもう一方の末端が前記回路板と電気的接続し、
前記リード部が前記ハウジングの外側縁に設置され、前記リード部が前記回路板と電気的接続し、
前記遮蔽部材が前記ハウジングの一部を囲んで設置され、前記遮蔽部材が前記リード部と電気的接続し、
前記遮蔽部材と前記リード部が経路を形成することで、前記結合端部より来る静電を前記回路板から解放することを特徴とする、静電放電を防止する基板対基板浮動式コネクタ。
【請求項２】
前記ハウジングの外側縁には溝部が形成され、前記溝部が前記結合端部から前記接合端部に伸びることで、前記リード部を嵌入することを特徴とする、請求項１に記載の静電放電を防止する基板対基板浮動式コネクタ。
【請求項３】
更に凸体とパッドを含み、前記凸体が前記接合端部の外側縁に近接するように形成され、前記リード部の一部が前記凸体表面に沿って前記回路板まで伸びており、前記パッドが前記リード部の一部を前記凸体表面において包覆することを特徴とする、請求項１に記載の静電放電を防止する基板対基板浮動式コネクタ。
【請求項４】
静電放電を防止する基板対基板浮動式コネクタであって、回路板に接続され、ハウジングと、凹槽と、複数のメス端子と、リード部と、遮蔽部材とを含み、
前記ハウジングに収容空間が形成され、
前記凹槽が前記収容空間に設置され、前記凹槽が結合端部と接合端部を備え、前記結合端部が相手側コネクタに電気的に接続され、前記接合端部が前記回路板に接合され、
複数の前記メス端子が前記凹槽の内縁に配列されて設置され、複数の前記メス端子の一方の末端が前記結合端部に近接し、複数の前記メス端子のもう一方の末端が前記回路板と電気的に接続し、
前記リード部が前記凹槽の外側縁に設置され、前記リード部が前記回路板と電気的に接続し、
前記遮蔽部材が前記凹槽の一部を囲んで設置され、前記遮蔽部材が前記リード部と電気的に接続し、
前記遮蔽部材と前記リード部が経路を形成することで、前記結合端部より来る静電を前記回路板から解放することを特徴とする、静電放電を防止する基板対基板浮動式コネクタ。
【請求項５】
前記凹槽の外側縁に溝部が形成され、前記溝部が前記結合端部から前記接合端部に伸びることで、前記リード部を嵌入することを特徴とする、請求項４に記載の静電放電を防止する基板対基板浮動式コネクタ。
【請求項６】
更に凸体とパッドを含み、前記凸体が前記ハウジングの外側縁に近接するよう形成され、前記パッドが前記凸体を前記回路板に固定することを特徴とする、請求項４に記載の静電放電を防止する基板対基板浮動式コネクタ。
【請求項７】
前記遮蔽部材が前記結合端部に近接することを特徴とする、請求項１または４に記載の静電放電を防止する基板対基板浮動式コネクタ。
【請求項８】
前記遮蔽部材と前記リード部が、電子と電荷を伝達する材質であることを特徴とする、請求項１または４に記載の静電放電を防止する基板対基板浮動式コネクタ。
【請求項９】
前記溝部が前記結合端部と前記接合端部の内の少なくとも一つに近接する部分の幅が、前記溝部の残りの部分より小さくなく、その内、前記リード部の形状が前記溝部の形状と同様であることを特徴とする、請求項２または５に記載の静電放電を防止する基板対基板浮動式コネクタ。
【請求項１０】
静電放電を防止する基板対基板浮動式コネクタであって、第一回路板と第二回路板に接続され、オス接続モジュールとメス接続モジュールを含み、
前記オス接続モジュールが、第一ハウジングと、板体と、複数のオス端子と、第一リード部と、第一遮蔽部材とを含み、
前記第一ハウジングには第一収容空間が形成され、前記第一ハウジングが第一結合端部と第一接合端部を備え、前記第一接合端部が前記第一回路板に接合され、
前記板体が前記収容空間に設置され、
複数の前記オス端子が前記板体に配列されて設置され、複数の前記オス端子の一方の末端が前記第一結合端部に近接し、複数の前記オス端子のもう一方の末端が前記第一回路板と電気的に接続し、
前記第一リード部が前記第一ハウジングの外側縁に設置され、前記第一リード部が前記第一回路板と電気的に接続し、
前記第一遮蔽部材が前記第一ハウジングの一部を囲んで設置され、前記第一遮蔽部材が前記第一リード部と電気的に接続し、
前記メス接続モジュールが、第二ハウジングと、凹槽と、複数のメス端子と、第二リード部と、第二遮蔽部材とを含み、
前記第二ハウジングに第二収容空間が形成され、
前記凹槽が前記第二収容空間に設置され、前記凹槽が第二結合端部と第二接合端部を備え、前記第二結合端部が前記第一結合端部と電気的に接続し、前記第二接合端部が前記第二回路板に接合され、
複数の前記メス端子が前記凹槽の内縁に配列されて設置され、複数の前記メス端子の一方の末端が前記第二結合端部に近接し、複数の前記メス端子のもう一方の末端が前記第二回路板と電気的に接続し、
前記第二リード部が前記凹槽の外側縁に設置され、前記第二リード部が前記第二回路板と電気的に接続し、
前記第二遮蔽部材が前記凹槽の一部を囲んで設置され、前記第二遮蔽部材が前記第二リード部と電気的に接続し、
前記第一遮蔽部材と前記第一リード部が第一経路を形成し、前記第二遮蔽部材と前記第二リード部が第二経路を形成することで、前記オス接続モジュールと前記メス接続モジュールが合わさった後、静電が前記第一経路と前記第二経路を通じて、前記第一回路板及び前記第二回路板に解放されることを特徴とする、静電放電を防止する基板対基板浮動式コネクタ。
【考案の詳細な説明】
【技術分野】
【０００１】
本考案はコネクタに関し、特に、静電により電子部品が破損することを防ぐ、静電放電を防止する基板対基板浮動式コネクタである。
【背景技術】
【０００２】
回路板は、ウエハーやプロセッサ、受動素子や能動素子等、通常多くの電子部品により組成される。電子部品が故障すると、回路板を正常に操作するのが困難になる。
【０００３】
電子部品が損壊を起こしやすいのは、電圧過多や静電など、正常な方法によらない電圧の印加があった場合であり、中でも自然に存在する静電は予防が難しい。
【０００４】
そして、回路板を組立てたり操作したりする過程で、人体が最も頻繁に触れるのは、各種回路板や信号源等に接続されるコネクタの部分である。つまり、人体からの静電がコネクタを通じて回路板に導入され、電子部品の損壊を引起すケースは後を絶たない。
【０００５】
以上に鑑み、本考案は静電放電を防止する基板対基板浮動式コネクタを提供することで、背景技術の抱える問題を解決する。
【考案の概要】
【考案が解決しようとする課題】
【０００６】
本考案の一つ目の目的は、静電放電を防止する基板対基板浮動式コネクタによって、環形の遮蔽部材を通じて静電を解放し、回路板上の電子部品の損壊を防ぐことである。
【０００７】
本考案の二つ目の目的は、前述の静電放電を防止する基板対基板浮動式コネクタのもと、遮蔽部材がオス接続モジュールとメス接続モジュールの内少なくとも一者に設置されることで、組立てや操作の過程において、静電を遮蔽部材とリード部により形成される電子経路を通じて効率的に解放することである。
【課題を解決するための手段】
【０００８】
上記の目的及び他の目的を達成するため、本考案の静電放電を防止する基板対基板浮動式コネクタは、回路板に接続され、ハウジングと、板体と、複数のオス端子と、リード部と、遮蔽部材とを含む。前記ハウジングには収容空間が形成され、前記ハウジングが結合端部と接合端部を備え、前記結合端部が相手側コネクタに電気的接続され、前記接合端部が前記回路板に接合される。また、前記板体は前記収容空間に設置される。複数の前記オス端子が前記板体に配列されて設置され、複数の前記オス端子の一方の末端が前記結合端部に近接し、複数の前記オス端子のもう一方の末端が前記回路板と電気的に接続される。前記リード部が前記ハウジングの外側縁に設置され、前記リード部が前記回路板と電気的に接続される。前記遮蔽部材が前記ハウジングの一部を囲んで設置され、前記遮蔽部材が前記リード部に電気的に接続される。前記遮蔽部材と前記リード部が経路を形成することで、前記結合端部より来る静電を前記回路板から解放する。
【０００９】
上記の目的及び他の目的を達成するため、本考案の静電放電を防止する基板対基板浮動式コネクタは、回路板に接続され、ハウジングと、凹槽と、複数のメス端子と、リード部と、遮蔽部材とを含む。前記ハウジングに収容空間が形成され、前記凹槽が前記収容空間に設置され、前記凹槽が結合端部と接合端部を備え、前記結合端部が相手側コネクタに電気的接続され、前記接合端部が前記回路板に接合される。複数の前記メス端子が前記凹槽の内縁に配列されて設置され、複数の前記メス端子の一方の末端が前記結合端部に近接し、複数の前記メス端子のもう一方の末端が前記回路板と電気的に接続される。前記リード部が前記凹槽の外側縁に設置され、前記リード部が前記回路板と電気的に接続される。前記遮蔽部材が前記凹槽の一部を囲んで設置され、前記遮蔽部材が前記リード部に電気的に接続される。前記遮蔽部材と前記リード部が経路を形成することで、前記結合端部より来る静電を前記回路板から解放する。
【００１０】
上記の目的及び他の目的を達成するため、本考案の静電放電を防止する基板対基板浮動式コネクタは、第一回路板と第二回路板に接続され、オス接続モジュールとメス接続モジュールを含む。前記オス接続モジュールが、第一ハウジングと、板体と、複数のオス端子と、第一リード部と、第一遮蔽部材とを含む。前記第一ハウジングには第一収容空間が形成され、前記第一ハウジングが第一結合端部と第一接合端部を備え、前記第一接合端部が前記第一回路板に接合される。前記板体が前記収容空間に設置され、複数の前記オス端子が前記板体に配列されて設置され、複数の前記オス端子の一方の末端が前記第一結合端部に近接し、複数の前記オス端子のもう一方の末端が前記第一回路板と電気的に接続される。前記第一リード部が前記第一ハウジングの外側縁に設置され、前記第一リード部が前記第一回路板と電気的接に続され、前記第一遮蔽部材が前記第一ハウジングの一部を囲んで設置され、前記第一遮蔽部材が前記第一リード部に電気的に接続される。そして、前記メス接続モジュールが、第二ハウジングと、凹槽と、複数のメス端子と、第二リード部と、第二遮蔽部材とを含む。前記第二ハウジングに第二収容空間が形成され、前記凹槽が前記第二収容空間に設置され、前記凹槽が第二結合端部と第二接合端部を備え、前記第二結合端部が前記第一結合端部に電気的接続され、前記第二接合端部が前記第二回路板に接合される。複数の前記メス端子が前記凹槽の内縁に配列されて設置され、複数の前記メス端子の一方の末端が前記第二結合端部に近接し、複数の前記メス端子のもう一方の末端が前記第二回路板と電気的に接続される。前記第二リード部が前記凹槽の外側縁に設置され、前記第二リード部が前記第二回路板と電気的に接続され、前記第二遮蔽部材が前記凹槽の一部を囲んで設置され、前記第二遮蔽部材が前記第二リード部に電気的に接続される。前記第一遮蔽部材と前記第一リード部が第一経路を形成し、前記第二遮蔽部材と前記第二リード部が第二経路を形成することで、前記オス接続モジュールと前記メス接続モジュールが合わさった後、静電が前記第一経路と前記第二経路を通じて、前記第一回路板及び前記第二回路板に解放される。
【００１１】
周知技術と比較すると、本考案の静電放電を防止する基板対基板浮動式コネクタは、リード部と遮蔽部材が電子経路を形成することで、コネクタ上の静電を、回路板を通じて効率的に解放し、回路板上の電子部品の損壊を防ぐ。ゆえに、本考案は安心して組立てや操作を行うことができ、その際静電が回路板の電子部品に影響を及ぼす懸念を必要としない。
【図面の簡単な説明】
【００１２】
【図１】本考案の第一実施例における静電放電を防止する基板対基板浮動式コネクタの構造図である。
【図２】本考案の第二実施例における静電放電を防止する基板対基板浮動式コネクタの構造図である。
【図３】本考案の第三実施例における静電放電を防止する基板対基板浮動式コネクタの構造図である。
【考案を実施するための形態】
【００１３】
本考案の目的と特徴、効果に対する理解に資する為、実施例を図面と合わせて紹介することで、以下に本考案を詳述する。
【００１４】
本考案の要素の個数は、特に記載がない場合を除き、一つまたは少なくとも一つ、且つ複数である場合を含むことを理解されたい。
【００１５】
本考案における「含む」や「備える」またそれらに類似する用語は、被排他的な包括物を網羅していることを意味する。例えば、複数の要素を含むユニットや構造、製品や装置は、本文に記載される要素に限らず、記載がないが当該ユニットや構造、製品や装置が通常有しうる他の要素を包括することも出来る。これ以外に、特に記載がない場合を除き、本文中の「または」という用語は包括的意味合いとして用いられ、排他的意味合いを具備しない。
【００１６】
図１は本考案の第一実施例における静電放電を防止する基板対基板浮動式コネクタ１０の構造図である。図１において、静電放電を防止する基板対基板浮動式コネクタ１０は、回路板２に接続される。
【００１７】
静電放電を防止する基板対基板浮動式コネクタ１０は、ハウジング１２と、板体１４と、複数のオス端子１６と、リード部１８と、遮蔽部材２０とを含む。
【００１８】
ハウジング１２には収容空間ＳＰが形成される。本実施例において、ハウジング１２は長方形を例として説明している。ハウジング１２は結合端部１２２と接合端部１２４を備える。本実施例において、結合端部１２２は相手側コネクタ（図示していない）の一端に接続され、接合端部１２４は回路板２の一端に接続される。他の実施例において、ハウジング１２の外側縁には溝部１２６が形成され、溝部１２６は結合端部１２２から接合端部１２４に伸びることで、後述のリード部１８を嵌入する。
【００１９】
板体１４は収容空間ＳＰに設置される。本実施例において、板体１４は収容空間ＳＰの中央部に設置され、板体１４の設置位置は相手側コネクタの被接続端子と相対する。
【００２０】
オス端子１６は板体１４に配列されて設置され、複数のオス端子１６の一方の末端は結合端部１２２に近接し、複数のオス端子１６のもう一方の末端は回路板２と電気的に接続される。本実施例において、複数の前記オス端子１６の数量は１０２個の信号用接続点及び４個の電源用接続点を例として説明しているが、他の実施例においては任意に前記端子の数量を選択してよい。
【００２１】
リード部１８はハウジング１２の外側縁に設置され、このリード部１８は回路板２と電気的に接続される。本実施例において、リード部１８の形状はＴ字形、即ち上側が広く下側が狭い形状を例として説明しているが、他の実施例においてはこの種の形状に限定されない。また、本実施例において、リード部１８の上半分は遮蔽部材２０の下方部に設置され、且つ遮蔽部材２０に電気的に接続される。
【００２２】
本実施例において、溝部１２６は結合端部１２２及び／または接合端部１２４部分に近接し、その幅は溝部１２６の残りの部分より大きいかまたはそれに等しい。リード部１８の形状は溝部１２６の形状と同様とすることができる。
【００２３】
前記遮蔽部材２０とリード部１８は、例えば金属等の、電子と電荷を伝達できる材質とすることができる。
【００２４】
遮蔽部材２０は、ハウジング１２の結合端部１２２を囲んで設置され、またその際の幅は限定されない。本実施例において、遮蔽部材２０は結合端部１２２に近接する。遮蔽部材２０は、リード部１８に電気的に接続される。遮蔽部材２０とリード部１８が経路Ｐ１を形成することで、結合端部１２２より来る静電Ｅを回路板２から解放する。
【００２５】
他の一部の実施例において、静電放電を防止する基板対基板浮動式コネクタ１０は、更に凸体（図示していない）とパッド４を含む。凸体は接合端部１２４の外側縁に近接するよう形成され、リード部１８の一部は凸体表面に沿って回路板２まで伸びている。パッド４は、リード部１８の一部（凸体上にある）を凸体表面において包覆する。
【００２６】
図２は本考案の第二実施例における静電放電を防止する基板対基板浮動式コネクタの構造図である。図２において、静電放電を防止する基板対基板浮動式コネクタ１０'は、回路板２に接続される。第一実施例との違いは、第一実施例ではオス端子を使用する一方で、本実施例ではメス端子を使用する。
【００２７】
静電放電を防止する基板対基板浮動式コネクタ１０'は、ハウジング１２'と、凹槽２２と、複数のメス端子２４と、リード部１８'と、遮蔽部材２０'とを含む。
【００２８】
ハウジング１２'には収容空間ＳＰが形成される。本実施例において、ハウジング１２'は長方形を例として説明している。
【００２９】
凹槽２２は収容空間ＳＰに設置される。凹槽２２は結合端部２２２と接合端部２２４を備える。結合端部２２２と接合端部２２４の接続方法は第一実施例と同様であり、即ち、結合端部２２２は相手側コネクタ（図示していない）に接続され、接合端部２２４は回路板２に接続される。他の実施例において、凹槽２２の外側縁には溝部２２６が形成され、溝部２２６は結合端部２２２から接合端部２２４に伸びることで、後述のリード部１８'を嵌入する。
【００３０】
複数の前記メス端子２４は凹槽２２の内縁に配列されて設置され、複数の前記メス端子２４の一方の末端は結合端部２２２に近接し、複数の前記メス端子２４のもう一方の末端は回路板２と電気的に接続される。本実施例において、複数の前記メス端子２４の数量は１０２個の信号用接続点及び４個の電源用接続点を例として説明しているが、他の実施例においては任意にメス端子の数量を選択してよい。
【００３１】
リード部１８'は凹槽２２の外側縁に設置され、このリード部１８'は回路板２と電気的に接続される。本実施例において、溝部２２６は結合端部２２２及び／または接合端部２２４部分に近接し、その幅は溝部２２６の残りの部分より大きいかまたはそれに等しい。リード部１８'の形状は溝部２２６の形状と同様とすることができる。
【００３２】
遮蔽部材２０'はリード部１８'に電気的に接続される。遮蔽部材２０'は凹槽２２の一部を囲んで設置され、その際の幅は限定されない。本実施例において、遮蔽部材２０'は結合端部２２２に近接する。
【００３３】
遮蔽部材２０'とリード部１８'が経路Ｐ２を形成することで、結合端部２２２より来る静電Ｅを回路板２から解放する。
【００３４】
前記遮蔽部材２０'とリード部１８'は、例えば金属等の、電子と電荷を伝達できる材質とすることができる。
【００３５】
他の一部の実施例において、静電放電を防止する基板対基板浮動式コネクタ１０'は、更に凸体（図示していない）とパッド４'を含む。凸体は、ハウジング１２'の外側縁に近接するよう形成され、パッド４'は凸体を回路板２に固定する。
【００３６】
図３は本考案の第三実施例における静電放電を防止する基板対基板浮動式コネクタの構造図である。図３において、静電放電を防止する基板対基板浮動式コネクタ１０''は、第一回路板６及び第二回路板８に接続される。
【００３７】
静電放電を防止する基板対基板浮動式コネクタ１０''は、オス接続モジュール３０とメス接続モジュール４０を含む。
【００３８】
オス接続モジュール３０についての描写は、第一実施例における、ハウジング１２と、板体１４と、複数のオス端子１６と、リード部１８と、遮蔽部材２０についての描写を参照されたい。
【００３９】
メス接続モジュール４０についての描写は、第二実施例における、ハウジング１２'と、凹槽２２と、複数のメス端子２４と、リード部１８'と、遮蔽部材２０'についての描写を参照されたい。
【００４０】
オス接続モジュール３０の遮蔽部材２０とリード部１８が経路Ｐ１を形成し、メス接続モジュール４０の遮蔽部材２０'とリード部１８'が経路Ｐ２を形成することで、オス接続モジュール３０とメス接続モジュール４０が合わさった後、静電Ｅは経路Ｐ１と経路Ｐ２を通じて、第一回路板６及び／または第二回路板８に解放される。
【００４１】
上述に本考案の典型的実施例を説明したが、その目的は当業者の本考案の内容に対する理解に資する事であり、本考案を制限するものではない。考案は当業者であれば諸般の修飾が可能であるが、そのいずれも本考案の範囲を脱せず、いずれも後付の実用新案登録請求の範囲の保護範囲に含まれる。
【符号の説明】
【００４２】
２                        回路板
４、４'                パッド
６                        第一回路板
８                        第二回路板
１０、１０'、１０''        静電放電を防止する基板対基板浮動式コネクタ
１２、１２'                ハウジング
１２２、１２２'        結合端部
１２４、１２４'        接合端部
１２６、１２６'        溝部
１４                        板体
１６                        オス端子
１８、１８'                リード部
２０、２０'                遮蔽部材
２２                        凹槽
２４                        メス端子
３０                        オス接続モジュール
４０                        メス接続モジュール
ＳＰ                        収容空間
Ｐ１                        経路
Ｐ２                        経路
Ｅ                        静電
【図１】
0003220918.tif 000003
【図２】
0003220918.tif 000004
【図３】
0003220918.tif 000005